(57)【要約】  樹脂基板（２０）は、熱可塑性の樹脂素体（２１）、樹脂素体（２１）の表面に形成され部品が実装される実装用ランド導体（２２）、第１補強用導体パターン（４１）、第２補強用導体パターン（４２）、層間接続導体（４３）を備える。第１補強用導体パターン（４１）および第２補強用導体パターン（４２）は、樹脂素体（２１）に内蔵され、樹脂素体（２１）を平面視して実装用ランド導体（２２）に重なる位置を含む平面形状で形成されている。層間接続導体（４３）は、第１補強用導体パターン（４１）と第２補強用導体パターン（４２）とを樹脂素体（２１）の厚み方向に接続する。複数の層間接続導体（４３）は、樹脂素体（２１）を平面視して実装用ランド導体（２２）と異なる位置に配置されている。
2017065028.tif 000002
【特許請求の範囲】
【請求項１】
熱可塑性の樹脂素体と、
前記樹脂素体の表面に形成され、部品が実装される実装用ランド導体と、
前記樹脂素体に内蔵され、前記樹脂素体を平面視して前記実装用ランド導体に重なる位置を含む平面形状で形成された第１補強用導体パターンと、
前記樹脂素体に内蔵され、前記樹脂素体を平面視して前記実装用ランド導体に重なる位置を含み、前記第１補強用導体パターンに少なくとも一部が重なる平面形状で形成された第２補強用導体パターンと、
前記第１補強用導体パターンと前記第２補強用導体パターンとを前記樹脂素体の厚み方向に接続する複数の第１層間接続導体と、を備え、
前記複数の第１層間接続導体は、前記樹脂素体を平面視して、前記実装用ランド導体と異なる位置に配置されている、
樹脂基板。
【請求項２】
前記第１補強用導体パターン、前記第２補強用導体パターン、および、前記複数の第１層間接続導体は、前記樹脂素体に形成された他の導体パターンに接続されていない、
請求項１に記載の樹脂基板。
【請求項３】
前記樹脂素体に内蔵され、前記樹脂素体を平面視して前記実装用ランド導体に重なる位置を含み、前記第１補強用導体パターンおよび前記第２補強用導体パターンに少なくとも一部が重なる平面形状で形成された第３補強用導体パターンと、
前記第２補強用導体パターンと前記第３補強用導体パターンとを前記樹脂素体の厚み方向に接続する複数の第２層間接続導体と、を備え、
前記複数の第１層間接続導体と前記複数の第２層間接続導体は、前記樹脂素体を平面視して異なる位置に配置されている、
請求項１に記載の樹脂基板。
【請求項４】
前記第１補強用導体パターン、前記第２補強用導体パターン、前記複数の第１層間接続導体、前記第３補強用導体パターン、および、前記第２層間接続導体は、前記樹脂素体に形成された他の導体パターンに接続されていない、
請求項３に記載の樹脂基板。
【請求項５】
前記実装用ランド導体は複数であり、
前記樹脂素体を平面視して、前記第１補強用導体パターンは、前記複数の実装用ランド導体に重なっている、
請求項１乃至請求項４のいずれか１項に記載の樹脂基板。
【請求項６】
前記樹脂素体を平面視して、前記第１補強用導体パターンは、前記実装用ランド導体と異なる位置において、前記第１補強用導体パターンが形成されていない導体非形成部を有する、
請求項５に記載の樹脂基板。
【請求項７】
前記第１補強用導体パターンと前記樹脂素体の表面との距離は、前記樹脂素体の厚みの半分より小さい、
請求項１乃至請求項６のいずれか１項に記載の樹脂基板。
【請求項８】
前記樹脂素体は、複数の熱可塑性の樹脂層を積層してなり、
前記第１補強用導体パターンは、前記実装用ランド導体が形成される前記樹脂素体の表面の樹脂層と、当該樹脂層に当接する樹脂層との間に配置されている、
請求項７に記載の樹脂基板。
【請求項９】
樹脂基板と、前記樹脂基板にバンプを介して接合される部品と、を備える部品実装樹脂基板であって、
前記樹脂基板は、
熱可塑性の樹脂素体と、
前記樹脂素体の表面に形成され、部品が実装される実装用ランド導体と、
前記樹脂素体に内蔵され、前記樹脂素体を平面視して前記実装用ランド導体に重なる位置を含む平面形状で形成された第１補強用導体パターンと、
前記樹脂素体に内蔵され、前記樹脂素体を平面視して前記実装用ランド導体に重なる位置を含み、前記第１補強用導体パターンに少なくとも一部が重なる平面形状で形成された第２補強用導体パターンと、
前記第１補強用導体パターンと前記第２補強用導体パターンとを前記樹脂素体の厚み方向に接続する複数の第１層間接続導体と、を備え、
前記部品は、
前記実装用ランド導体に前記バンプが超音波接合されることによって前記樹脂素体に実装されており、
前記第１層間接続導体は、前記樹脂素体を平面視して、前記バンプと異なる位置に配置されている、
部品実装樹脂基板。
【請求項１０】
前記樹脂素体を平面視して、前記複数の第１層間接続導体の各層間接続導体に対して、自身の位置を中心とし、最近接する層間接続導体との距離を半径する円領域を設定し、各層間接続導体によって設定される円領域の重なる領域に、前記バンプが重なっている、
請求項９に記載の部品実装樹脂基板。
【請求項１１】
樹脂素体を形成する熱可塑性を有する第１樹脂層の表面に実装用ランド導体を形成する工程と、
前記樹脂素体を形成する熱可塑性を有する第２樹脂層の表面に第１補強用導体パターンを形成する工程と、
前記樹脂素体を形成する熱可塑性を有する第３樹脂層の表面に第２補強用導体パターンを形成する工程と、
前記第２樹脂層における前記第１補強用導体パターンが形成される領域に、前記樹脂素体に部品を実装した状態で前記部品のバンプに重ならない位置に複数の貫通孔を設ける工程と、
前記複数の貫通孔に導電ペーストを充填する工程と、
前記第１樹脂層、前記第２樹脂層、前記第３樹脂層をこの順に並べて、前記第１樹脂層、前記第２樹脂層、および前記第３樹脂層を含む複数の樹脂層を積層して加熱圧着して、複数の層間接続導体を備える前記樹脂素体を形成する工程と、
前記部品のバンプを超音波接合によって前記実装用ランド導体に接合する工程と、
を有する部品実装樹脂基板の製造方法。
【請求項１２】
樹脂素体を形成する熱可塑性を有する第１樹脂層の表面に実装用ランド導体を形成する工程と、
前記樹脂素体を形成する熱可塑性を有する第２樹脂層の表面に第１補強用導体パターンを形成する工程と、
前記樹脂素体を形成する熱可塑性を有する第３樹脂層の表面に第２補強用導体パターンを形成する工程と、
前記第２樹脂層における前記第１補強用導体パターンが形成される領域に、前記樹脂素体に部品を実装した状態で前記部品のバンプに重ならない位置に複数の貫通孔を設ける工程と、
前記複数の貫通孔に導電ペーストを充填する工程と、
前記第１樹脂層、前記第２樹脂層、前記第３樹脂層をこの順に並べて、前記第１樹脂層、前記第２樹脂層、および前記第３樹脂層を含む複数の樹脂層を積層して加熱圧着して、複数の層間接続導体を備える前記樹脂素体を形成する工程と、
電子部品のバンプを、異方性導電フィルムを介して前記実装用ランド導体に接合する工程と、
を有する部品実装樹脂基板の製造方法。
【請求項１３】
前記第１補強用導体パターン、前記第２補強用導体パターン、および、前記複数の第１層間接続導体は、前記樹脂素体に形成された他の導体パターンに接続されていない、
請求項１１または請求項１２に記載の部品実装樹脂基板の製造方法。
【発明の詳細な説明】
【技術分野】
【０００１】
本発明は、表面に部品が実装される可撓性材料からなる樹脂基板、当該樹脂基板に部品が実装された部品実装樹脂基板、および、部品実装樹脂基板の製造方法に関する。
【背景技術】
【０００２】
従来、各種の電子機器には、部品実装樹脂基板が多く採用されている。部品実装樹脂基板は、樹脂基板と電子部品とを備える。電子部品は、樹脂基板に実装されている。【０００３】
例えば、特許文献１に記載の構成では、熱可塑性のフレキシブル基板の表面に、半導体ベアチップが実装されている。半導体ベアチップは、超音波接合によって、フレキシブル基板に接合している。
【先行技術文献】
【特許文献】
【０００４】
【特許文献１】特許第３８５５９４７号明細書
【発明の概要】
【発明が解決しようとする課題】
【０００５】
熱可塑性のフレキシブル基板は、例えば半田リフロー等の全体加熱による接合方法が行いにくい。全体加熱による接合では、フレキシブル基板が軟化あるいは溶融して変形してしまう虞があるためである。【０００６】
一方、全体加熱ではなく、超音波接合による場合であっても、超音波接合の摩擦熱によって部分的にではあるがフレキシブル基板が柔らかくなり変形し易くなる。また、フレキシブル基板のフレキシブル性によって、超音波振動が分散して十分な接合強度が得られる超音波接合が行い難くなる。これによって、接合不良が生じ易くなる。【０００７】
したがって、本発明の目的は、電子部品がより確実に接合される樹脂基板、該樹脂基板と電子部品からなる部品実装樹脂基板、および、部品実装樹脂基板の製造方法を提供することにある。
【課題を解決するための手段】
【０００８】
この発明の樹脂基板は、熱可塑性の樹脂素体、樹脂素体の表面に形成され部品が実装される実装用ランド導体、第１補強用導体パターン、第２補強用導体パターン、第１層間接続導体を備える。第１補強用導体パターンは、樹脂素体に内蔵され、樹脂素体を平面視して実装用ランド導体に重なる位置を含む平面形状で形成されている。第２補強用導体パターンは、樹脂素体に内蔵され、樹脂素体を平面視して実装用ランド導体に重なる位置を含み、第１補強用導体パターンに少なくとも一部が重なる平面形状で形成されている。第１層間接続導体は、第１補強用導体パターンと第２補強用導体パターンとを樹脂素体の厚み方向に接続する。複数の第１層間接続導体は、樹脂素体を平面視して、実装用ランド導体と異なる位置に配置されている。【０００９】
この構成では、部品が超音波接合によって接合される実装用ランド導体の下に２個の補強用導体パターンが配置されている。さらに、これら２個の補強用導体パターンは、層間接続導体によって接続されている。これにより、実装用ランド導体の実装面に平行な方向と直交する方向のそれぞれに強度を高められ、樹脂素体の変形が抑制される。また、層間接続導体が実装用ランド導体の直下に配置されていないため、層間接続導体による部分的な平坦度の低下が接合へ与える悪影響が抑制される。【００１０】
また、この発明の樹脂基板では、第１補強用導体パターン、第２補強用導体パターン、および、複数の第１層間接続導体は、樹脂素体に形成された他の導体パターンに接続されていないことが好ましい。【００１１】
この構成では、第１補強用導体パターン、第２補強用導体パターン、および、複数の第１層間接続導体を、部品実装時の補強のみを目的として配置すればよく、他の回路用の導体パターンとの接続パターンを考慮しなくてもよい。また、電気的特性を考慮せず、補強のみを考慮すればよく、形状の単純化が容易である。【００１２】
また、この発明の樹脂基板は、次の構成であることが好ましい。樹脂基板は、第３補強用導体パターン、および、複数の第２層間接続導体を備える。第３補強用導体パターンは、樹脂素体に内蔵され、樹脂素体を平面視して実装用ランド導体に重なる位置を含み、第１補強用導体パターンおよび前記第２補強用導体パターンに少なくとも一部が重なる平面形状で形成されている。複数の第２層間接続導体は、第２補強用導体パターンと第３補強用導体パターンとを樹脂素体の厚み方向に接続する。複数の第１層間接続導体と複数の第２層間接続導体は、樹脂素体を平面視して異なる位置に配置されている。【００１３】
この構成では、実装用ランド導体の下の樹脂素体の強度がさらに向上する。さらに、第１層間接続導体と第２層間接続導体が重なっていないことにより、層間接続導体による部分的な平坦度の低下が接合へ与える悪影響が抑制される。【００１４】
また、この発明の樹脂基板では、第１補強用導体パターン、第２補強用導体パターン、複数の第１層間接続導体、第３補強用導体パターン、および、第２層間接続導体は、樹脂素体に形成された他の導体パターンに接続されていないことが好ましい。【００１５】
この構成では、これらの導体パターンおよび層間接続導体を、部品実装時の補強のみを目的として配置すればよく、他の回路用の導体パターンとの接続パターンを考慮しなくてもよい。また、電気的特性を考慮せず、補強のみを考慮すればよく、形状の単純化が容易である。【００１６】
また、この発明の樹脂基板では、次の構成であること好ましい。実装用ランド導体は複数である。樹脂素体を平面視して、第１補強用導体パターンは、複数の実装用ランド導体に重なっている。【００１７】
この構成では、複数の実装用ランド導体が共通の第１補強用導体パターンによって補強される。したがって、１つの実装用ランド導体毎に第１補強用導体パターンを備える構成よりも、強度が向上する。【００１８】
また、この発明の樹脂基板では、樹脂素体を平面視して、第１補強用導体パターンは、実装用ランド導体と異なる位置において、第１補強用導体パターンが形成されていない導体非形成部を有していてもよい。【００１９】
この構成では、第１補強用導体パターンを備えながら、導体非形成部に配線導体を配置することが可能になる。これにより、樹脂素体内での導体の引き回しが容易になる。【００２０】
また、この発明の樹脂基板では、第１補強用導体パターンと樹脂素体の表面との距離は、樹脂素体の厚みの半分より小さいことが好ましい。【００２１】
この構成では、実装用ランド導体と第１補強用導体パターンとの距離が短くなり、樹脂基板の強度が効果的に向上する。【００２２】
また、この発明の樹脂基板では、樹脂素体は、複数の熱可塑性の樹脂層を積層してなり、第１補強用導体パターンは、実装用ランド導体が形成される樹脂素体の表面の樹脂層と、当該樹脂層に当接する樹脂層との間に配置されていることが好ましい。【００２３】
この構成では、実装用ランド導体と第１補強用導体パターンとの距離がさらに短くなり、樹脂基板の強度がさらに効果的に向上する。【００２４】
また、この発明は、樹脂基板と、前記樹脂基板にバンプを介して接合される部品と、を備える部品実装樹脂基板に関する。樹脂基板は、熱可塑性の樹脂素体、実装用ランド導体、第１補強用導体パターン、第２補強用導体パターン、および、複数の第１層間接続導体を備える。実装用ランド導体は、樹脂素体の表面に形成され、部品が実装されている。第１補強用導体パターンは、樹脂素体に内蔵され、樹脂素体を平面視して実装用ランド導体に重なる位置を含む平面形状で形成されている。第２補強用導体パターンは、樹脂素体に内蔵され、樹脂素体を平面視して実装用ランド導体に重なる位置を含み、第１補強用導体パターンに少なくとも一部が重なる平面形状で形成されている。第１層間接続導体は、第１補強用導体パターンと第２補強用導体パターンとを樹脂素体の厚み方向に接続している。部品は、実装用ランド導体にバンプが超音波接合されることによって樹脂素体に実装されている。第１層間接続導体は、樹脂素体を平面視して、バンプと異なる位置に配置されている。【００２５】
この構成では、超音波接合によって実装用ランド導体に接合される部品のバンプの下に２個の補強用導体パターンが配置されている。さらに、これら２個の補強用導体パターンは、層間接続導体によって接続されている。これにより、実装用ランド導体の実装面に平行な方向と直交する方向のそれぞれに強度を高められ、樹脂素体の変形が抑制される。また、層間接続導体がバンプの直下に配置されていないため、層間接続導体による部分的な平坦度の低下が接合へ与える悪影響が抑制される。【００２６】
また、この発明の部品実装樹脂基板では、次の構成であることが好ましい。複数の層間接続導体は、実装用ランド導体に対して、次に示す条件を満たす位置に配置されている。樹脂素体を平面視して、複数の第１層間接続導体の各層間接続導体に対して、自身の位置を中心とし、最近接する層間接続導体との距離を半径する円領域を設定する。各層間接続導体によって設定される円領域の重なる領域に、バンプが重なっている。【００２７】
この構成では、複数の層間接続導体によって樹脂素体の強度が効果的に向上する領域にバンプが実装される。これにより、接合不良がより効果的に抑制される。【００２８】
また、この発明の部品実装樹脂基板の製造方法では、次の工程を有する。部品実装基板の製造方法は、樹脂素体を形成する熱可塑性を有する第１樹脂層の表面に実装用ランド導体を形成する工程と、樹脂素体を形成する熱可塑性を有する第２樹脂層の表面に第１補強用導体パターンを形成する工程と、樹脂素体を形成する熱可塑性を有する第３樹脂層の表面に第２補強用導体パターンを形成する工程と、を有する。部品実装基板の製造方法は、第２樹脂層における第１補強用導体パターンが形成される領域に、樹脂素体に部品を実装した状態で部品のバンプに重ならない位置に複数の貫通孔を設ける工程と、複数の貫通孔に導電ペーストを充填する工程と、を有する。部品実装基板の製造方法は、第１樹脂層、第２樹脂層、第３樹脂層をこの順に並べて、これらを含む複数の樹脂層を積層して加熱圧着する工程を有する。部品実装基板の製造方法は、部品のバンプを超音波接合によって実装用ランド導体に接合する工程を有する。【００２９】
また、この発明の部品実装樹脂基板の製造方法では、次の工程を有する。部品実装基板の製造方法は、樹脂素体を形成する熱可塑性を有する第１樹脂層の表面に実装用ランド導体を形成する工程と、樹脂素体を形成する熱可塑性を有する第２樹脂層の表面に第１補強用導体パターンを形成する工程と、樹脂素体を形成する熱可塑性を有する第３樹脂層の表面に第２補強用導体パターンを形成する工程と、を有する。部品実装基板の製造方法は、第２樹脂層における第１補強用導体パターンが形成される領域に、樹脂素体に部品を実装した状態で部品のバンプに重ならない位置に複数の貫通孔を設ける工程と、複数の貫通孔に導電ペーストを充填する工程と、を有する。部品実装基板の製造方法は、第１樹脂層、第２樹脂層、第３樹脂層をこの順に並べて、これらを含む複数の樹脂層を積層して加熱圧着する工程を有する。部品実装基板の製造方法は、電子部品のバンプを、異方性導電フィルムを介して前記実装用ランド導体に接合する工程を有する。【００３０】
これらの構成では、樹脂素体の表面の実装用ランド導体に部品のバンプを接合する際の樹脂素体への補強を、樹脂素体内に容易に形成することができる。これにより、実装用ランド導体とバンプの接合信頼性が高い部品実装樹脂基板が容易に製造される。【００３１】
また、この発明の部品実装樹脂基板の製造方法では、第１補強用導体パターン、第２補強用導体パターン、および、複数の第１層間接続導体は、樹脂素体に形成された他の導体パターンに接続されていないことが好ましい。【００３２】
この製造方法では、第１補強用導体パターン、第２補強用導体パターン、および、複数の第１層間接続導体を、部品実装時の補強のみを目的として配置すればよく、他の回路用の導体パターンとの接続パターンを考慮しなくてもよい。また、電気的特性を考慮せず、補強のみを考慮すればよく、形状の単純化が容易である。したがって、補強用導体パターンのパターン形状を単純化でき、設計が容易になる。
【発明の効果】
【００３３】
この発明によれば、電子部品をより確実に実装可能な樹脂基板、および、当該電子部品と樹脂基板との接続信頼性が高い部品実装樹脂基板を実現することができる。
【図面の簡単な説明】
【００３４】
【図１】図１は本発明の第１実施形態に係る部品実装樹脂基板の構造を示す断面図である。
【図２】図２は本発明の第１実施形態に係る部品実装樹脂基板の実装用ランド導体と層間接続導体との位置関係を示す平面図である。
【図３】図３は本発明の第１の実施形態に係る部品実装樹脂基板の樹脂基板における層間接続導体と実装用ランド導体との位置関係を示す拡大平面図である。
【図４】図４は本発明の第１実施形態に係る部品実装樹脂基板の製造工程を示すフローチャートである。
【図５】図５は本発明の第１の実施形態に係る部品実装樹脂基板の樹脂基板の積層状態を示す側面断面図である。
【図６】図６は本発明の第２実施形態に係る部品実装樹脂基板の構造を示す断面図である。
【図７】図７（Ａ）は第３の実施形態に係る第１補強用導体パターン４１Ａの平面図であり、図７（Ｂ）は第２補強用導体パターン４２Ａの平面図である。
【図８】図８（Ａ）は本発明の第４の実施形態に係る部品実装樹脂基板の製造時の側面断面図であり、図８（Ｂ）は本発明の第４の実施形態に係る部品実装樹脂基板の側面断面図である。
【発明を実施するための形態】
【００３５】
本発明の第１実施形態に係る樹脂基板、部品実装樹脂基板、および部品実装樹脂基板の製造方法について、図を参照して説明する。図１は、本発明の第１実施形態に係る部品実装樹脂基板の構造を示す断面図である。図２は、本発明の第１実施形態に係る部品実装樹脂基板の実装用ランド導体と層間接続導体との位置関係を示す平面図である。
【００３６】
図１に示すように、部品実装樹脂基板１０は、樹脂基板２０と電子部品３０を備える。電子部品３０は、本発明の「部品」に対応し、略平板形状である。電子部品３０の裏面には、複数の外部接続用端子が形成され、外部接続用端子にはバンプ３１が形成されている。複数のバンプ３１は、電子部品３０の裏面に配列形成されている。
【００３７】
樹脂基板２０は、樹脂素体２１と、複数の実装用ランド導体２２、配線導体パターン２３、外部接続用導体２４、補強用導体パターン４１，４２、層間接続導体２５，４３を備える。
【００３８】
樹脂素体２１は、熱可塑性を有する材料からなる。例えば、樹脂素体２１は、液晶ポリマを主材料としている。
【００３９】
複数の実装用ランド導体２２は、樹脂素体２１の表面（実装面）に形成されている。複数の実装用ランド導体２２は、矩形の導体バターンである。複数の実装用ランド導体２２は、樹脂素体２１に実装される電子部品３０のバンプ３１の配置パターンに応じた配置パターンで形成されている。
【００４０】
配線導体パターン２３は、樹脂素体２１の表面および内部に形成されている。表面に形成された配線導体パターン２３は、実装用ランド導体２２に接続されている。表面に形成された配線導体パターン２３と内部に形成された配線導体パターン２３、および、内部に形成された配線導体パターン２３同士は、層間接続導体２５によって接続されている。
【００４１】
外部接続用導体２４は、樹脂素体２１の裏面に形成されている。外部接続用導体２４は、図示を省略した導体パターン、層間接続導体等によって、所定の配線導体パターン２３に接続されている。
【００４２】
補強用導体パターン４１，４２は、平面形状の導体からなる。補強用導体パターン４１が本発明の「第１補強用導体パターン」に対応し、補強用導体パターン４２が本発明の「第２補強用導体パターン」に対応する。補強用導体パターン４１は、樹脂素体２１の内部に形成されている。補強用導体パターン４１，４２の平面は、樹脂素体２１の厚み方向に直交または略直交している。言い換えれば、補強用導体パターン４１，４２の平面は、樹脂素体２１の表面および裏面に平行または略平行である。補強用導体パターン４１，４２は、樹脂素体２１の厚み方向に距離をおいて配置されている。補強用導体パターン４１は、補強用導体パターン４２よりも、樹脂素体２１の表面側に配置されている。
【００４３】
これら補強用導体パターン４１，４２は、補強用導体パターン４１，４２および層間接続導体４３間は接続されているものの、部品実装樹脂基板１０によって構成される電気回路には接続されておらず、電気回路として機能を果たさないダミー導体である。
【００４４】
複数の層間接続導体４３は、補強用導体パターン４１と補強用導体パターン４２を樹脂素体２１の厚み方向に接続している。この複数の層間接続導体４３も補強用導体パターン４１，４２以外の導体パターンには接続されておらず、電気回路として機能を果たさないダミー導体である。言い換えれば、補強用導体パターン４１，４２および層間接続導体４３は、樹脂素体２１に形成された他の導体パターンとは接続されていない。この補強用導体パターン４１と補強用導体パターン４２を接続する層間接続導体４３が、本発明の「第１層間接続導体」に対応する。
【００４５】
図２に示すように、補強用導体パターン４１，４２の平面は、電子部品３０のバンプ３１が接合される全ての実装用ランド導体２２を含む面積を有する。樹脂素体２１を平面視して、補強用導体パターン４１，４２は、これら全ての実装用ランド導体２２に対して重なる位置に配置されている。
【００４６】
図２に示すように、複数の層間接続導体４３は、樹脂素体２１を平面視して、電子部品３０の複数のバンプ３１と異なる位置、言い換えれば、電子部品３０の複数のバンプ３１と重ならない位置に配置されている。
【００４７】
このような構成とすることによって、電子部品３０のバンプ３１の直下の領域に、実装面に平行な方向および実装面に直交する方向（樹脂素体２１の厚み方向）に延び、樹脂素体２１を形成する樹脂よりも高強度の立体構造物を配置することができる。
【００４８】
これにより、バンプ３１が実装用ランド導体２２に超音波接合される際に樹脂素体２１の樹脂が軟化しても、樹脂素体２１の変形を抑制することができる。したがって、バンプ３１と実装用ランド導体２２との超音波接合時の接合不良を抑制できる。また、超音波が効果的に接合部に印加されるので、接合状態を良好にでき、接合信頼性の高い部品実装樹脂基板１０を実現することができる。
【００４９】
また、電子部品３０のバンプ３１と層間接続導体４３とが平面視で重なっていないことにより、樹脂基板２０を形成する際に、層間接続導体４３の配置される位置とそれ以外の領域との厚みの差の影響を抑制できる。例えば、電子部品３０のバンプ３１において、層間接続導体４３と重なるバンプ３１と、重ならないバンプ３１が存在する場合に、これらではバンプ３１に対応する位置毎に樹脂基板２０の厚みが異なってしまう。しかしながら、バンプ３１が層間接続導体４３に重ならないように層間接続導体４３を配置することによって、バンプ３１に対応する位置での樹脂基板２０の厚みのばらつきを抑制することができる。これにより、バンプ３１と実装用ランド導体２２との接合強度が安定し、高い接合強度を実現できる。
【００５０】
なお、実装用ランド導体２２と層間接続導体４３とが平面視して重なっていないことがさらに好ましい。この場合、バンプ３１に対応する位置での樹脂基板２０の厚みの差がさらに小さくなりやすい。したがって、バンプ３１と実装用ランド導体２２との接合強度が安定し、高い接合強度を実現できる。
【００５１】
また、本実施形態では、補強用導体パターン４１と樹脂素体２１の表面との距離（樹脂素体２１の厚み方向に沿った距離）ｈは、樹脂素体２１の厚みＨの半分よりも小さい。例えば、後述の図５に示すように、複数の樹脂層を積層して樹脂素体２１を形成する場合、樹脂層を一層だけ挟んだ距離である。このような構成とすることによって、樹脂素体２１の厚み方向における実装用ランド導体２２と第１補強用導体パターン４１との距離が近くなり、立体構造物による接合の安定性をさらに向上することができる。
【００５２】
さらに、本実施形態に係る樹脂基板２０では、複数の層間接続導体４３と電子部品３０のバンプ３１との位置関係は、次に示す条件を満たしていることが好ましい。図３は、本発明の第１の実施形態に係る部品実装樹脂基板の樹脂基板における層間接続導体とバンプとの位置関係を示す拡大平面図である。
【００５３】
図３に示すように、複数の層間接続導体４３を構成する層間接続導体４３１，４３２，４３３，４３４は、樹脂素体２１を平面視して離散的に配置されている。ここで、平面視して層間接続導体４３１，４３２，４３３，４３４のそれぞれを中心とする円を設定する。具体的には、層間接続導体４３１を中心とする円Ｃｉｒ１、層間接続導体４３２を中心とする円Ｃｉｒ２、層間接続導体４３３を中心とする円Ｃｉｒ３、および、層間接続導体４３４を中心とする円Ｃｉｒ４を設定する。各円の半径は、中心となる層間接続導体と、これに最近接する層間接続導体との距離によって設定される。なお、図３では、１つの層間接続導体に対して２つの層間接続導体が同じ距離で最近接している場合を示しており、この場合は、最近接するいずれの層間接続導体を選択してもよい。
【００５４】
実装用ランド導体２２は、円Ｃｉｒ１と円Ｃｉｒ２とが重なる領域、円Ｃｉｒ１と円Ｃｉｒ３とが重なる領域、円Ｃｉｒ２と円Ｃｉｒ４とが重なる領域、および、円Ｃｉｒ３と円Ｃｉｒ４とが重なる領域のうちいずれかを満たす領域に配置されている。この際、バンプ３１に対応する位置と層間接続導体４３１，４３２，４３３，４３４とは重なっていない。
【００５５】
このような位置関係で、電子部品３０のバンプ３１と層間接続導体４３を配置することによって、実装用ランド導体２２の配置位置での樹脂素体２１の強度を効果的に向上することができる。これにより、さらに安定して高い接合強度を実現することができる。
【００５６】
上述の構成からなる部品実装樹脂基板１０は、図４に示す工程によって製造される。図４は、本発明の第１実施形態に係る部品実装樹脂基板の製造工程を示すフローチャートである。図５は、本発明の第１の実施形態に係る部品実装樹脂基板の樹脂基板の積層状態を示す側面断面図である。
【００５７】
まず、複数の熱可塑性の樹脂層２１１−２１７を用意する。図５に示すように、樹脂素体の表層となる樹脂層２１１に、電子部品３０のバンプ３１を接合するための実装用ランド導体２２を形成する（Ｓ１０１）。図５に示すように、樹脂素体の表層から２層目の樹脂層２１２に平面形状の補強用導体パターン４１を形成し、３層目の樹脂層２１３に平面形状の第２補強用導体パターン４２を形成する（Ｓ１０２）。なお、本実施形態では、補強用導体パターン４１と補強用導体パターン４２とは完全に重なっているが、部分的に重なっていてもよい。また、このステップＳ１０１，Ｓ１０２において、配線導体パターン２３、外部接続用導体２４も所望の樹脂層に形成される。
【００５８】
補強用導体パターン４１が形成された樹脂層２１２に対して、補強用導体パターン４１に重なり、樹脂素体の状態にしたときに実装用ランド導体２２に重ならない領域に貫通孔を形成する（Ｓ１０３）。貫通孔に導電ペーストを充填する（Ｓ１０４）。
【００５９】
樹脂層２１１−２１７を積層して、加熱プレスすることによって、樹脂素体２１を形成する（Ｓ１０５）。この加熱プレスの熱によって、導電ペーストが固化し層間接続導体４３が形成される。
【００６０】
電子部品３０のバンプ３１を、樹脂素体２１の実装用ランド導体２２に超音波接合する（Ｓ１０６）。
【００６１】
このような製造方法を用いることによって、上述の接合信頼性の高い部品実装樹脂基板１０を容易に且つ確実に製造することができる。
【００６２】
次に、本発明の第２実施形態に係る樹脂基板および部品実装樹脂基板について、図を参照して説明する。図６は、本発明の第２実施形態に係る部品実装樹脂基板の構造を示す断面図である。
【００６３】
本実施形態に係る部品実装樹脂基板１０Ａは、樹脂基板２０Ａの構成において、第１の実施形態に係る部品実装樹脂基板１０と異なる。樹脂基板２０Ａは、第１の実施形態に係る樹脂基板２０に対して、補強用導体パターン４４を追加している。この補強用導体パターン４４が本発明の「第３補強用導体パターン」に対応する。
【００６４】
補強用導体パターン４４は、樹脂素体２１に内蔵されている。補強用導体パターン４４は、補強用導体パターン４１，４２と同じく、平面形状の導体パターンである。補強用導体パターン４４は、樹脂素体２１の厚み方向において、補強用導体パターン４２よりも裏面側に配置されている。樹脂素体２１を平面視して、補強用導体パターン４４は、補強用導体パターン４２に重なっている。補強用導体パターン４４は、補強用導体パターン４１，４２と同様にダミー導体である。
【００６５】
補強用導体パターン４４は、複数の層間接続導体４３５によって補強用導体パターン４２と接続されている。この複数の層間接続導体４３５も補強用導体パターン４２，４４以外の導体パターンには接続されておらず、電気回路として機能を果たさないダミー導体である。このように、補強用導体パターン４４および層間接続導体４３５も、補強用導体パターン４１，４２および層間接続導体４３と同様に、樹脂素体２１に形成された他の導体パターンとは接続されていない。この補強用導体パターン４４と補強用導体パターン４２とを接続する層間接続導体４３５が、本発明の「第２層間接続導体」に対応する。
【００６６】
樹脂素体２１を平面視して、複数の層間接続導体４３５は、複数の層間接続導体４３と異なる位置に配置されている。言い換えれば、複数の層間接続導体４３５は、複数の層間接続導体４３と重ならない位置に配置されている。なお、複数の層間接続導体４３５は、平面視して、電子部品３０のバンプ３１と異なる位置（重ならない位置）に設けられていることが好ましいが、バンプ３１と重なる位置に設けられていてもよい。複数の層間接続導体４３５は層間接続導体４３よりもバンプ３１から樹脂素体２１の厚み方向に遠い位置に設けられているので、接合への影響が小さいためである。
【００６７】
このような構成とすることによって、立体構造物の強度をさらに高くすることができる。したがって、樹脂素体２１の軟化による接合不良をさらに確実に抑制することができる。
【００６８】
なお、本実施形態では、補強用導体パターンを三層にして各層間を層間接続導体で接続する態様を示したが、四層以上にして各層間を層間接続導体で接続する態様としてもよい。
【００６９】
次に、本発明の第３の実施形態に係る部品実装樹脂基板について、図を参照して説明する。図７は、本実施形態に第３の実施形態に係る部品実装樹脂基板の補強用導体パターンの配置構成を示す平面図である。図７（Ａ）は、第１補強用導体パターン４１Ａの平面図であり、図７（Ｂ）は、第２補強用導体パターン４２Ａの平面図である。
【００７０】
本実施形態に係る部品実装樹脂基板は、補強用導体パターンが複数の個別導体パターンに分割された点で、第１の実施形態に係る部品実装樹脂基板と異なる。
【００７１】
第１の実施形態に係る補強用導体パターン４１に対応する補強用導体パターン４１Ａは、個別導体パターン４１１，４１２，４１３，４１４に分割されている。この分割により、補強用導体パターン４１Ａは、補強用導体パターン４１Ａの外周（図７（Ａ）の破線）に開口する部分を有する帯状の導体非形成部４５１が備えられる。
【００７２】
樹脂素体２１を平面視して、導体非形成部４５１は、複数のバンプ３１および実装用ランド導体２２と異なる位置に配置されている。このため、導体非形成部４５１は、電子部品３０のバンプ３１とも異なる位置に配置されていることになる。また、導体非形成部４５１は、互いに最近接するバンプ３１（実装用ランド導体２２）と層間接続導体４３と実装用ランド導体２２との間には配置されていない。言い換えれば、導体非形成部４５１は、層間接続導体４３の間に配置されている。これにより、平面視して、バンプ３１の位置とこれに最も近い層間接続導体４３との間に導体非形成部（導体が無い部分）が存在せず、導体非形成部４５１を設けたことによる補強用導体パターン４１Ａの補強効果の低下を抑制することができる。
【００７３】
第１の実施形態に係る補強用導体パターン４２に対応する補強用導体パターン４２Ａは、個別導体パターン４２１，４２２，４２３に分割されている。この分割により、補強用導体パターン４２Ａは、補強用導体パターン４２Ａの外周（図７（Ｂ）の破線）に開口する部分を有する帯状の導体非形成部４５２が備えられる。
【００７４】
樹脂素体２１を平面視して、導体非形成部４５２は、複数の実装用ランド導体２２と異なる位置に配置されている。このため、導体非形成部４５２は、電子部品３０のバンプ３１とも異なる位置に配置されている。また、導体非形成部４５２は、互いに最近接するバンプ３１（実装用ランド導体２２）と層間接続導体４３と実装用ランド導体２２との間には配置されていない。言い換えれば、導体非形成部４５２は、層間接続導体４３の間に配置されている。これにより、平面視して、バンプ３１の位置とこれに最も近い層間接続導体４３との間に導体非形成部（導体が無い部分）が存在せず、導体非形成部４５２を設けたことによる補強用導体パターン４２Ａの補強効果の低下を抑制することができる。
【００７５】
このような構成とすることによって、上述の接合不良の抑制効果を備えながら、導体非形成部４５１，４５２に配線導体を引き回しでき、樹脂素体２１内の引き回しの自由度が向上して、引き回しが容易になる。特に、上述のように、補強用導体パターン４１Ａ，４２Ａを樹脂素体２１の表面近傍に配置する態様では、実装用ランド導体２２からの配線の領域を確保することが難しいが、本実施形態の構成を備えることによって、この配線領域を確保でき、有効である。
【００７６】
なお、補強用導体パターン４１Ａの導体非形成部４５１と補強用導体パターン４２の導体非形成部４５２は、重ならない方が好ましい。また、補強用導体パターン４２には、導体非形成部を設けなくてもよい。
【００７７】
また、上述の実施形態では、複数の補強用導体パターンおよびこれらの接続する層間接続導体をダミー導体とする態様を示したが、回路パターンの一部として利用することも可能である。しかしながら、ダミー導体にすることによって、複数の補強用導体パターンおよびこれらの接続する層間接続導体を、部品実装時の補強のみを目的として配置すればよく、他の回路用の導体パターンとの接続パターンを考慮しなくてもよい。また、電気的特性を考慮せず、補強のみを考慮すればよく、形状の単純化が容易である。
【００７８】
また、上述の実施形態では、補強用に導体を用いる態様を示したが、導体に限らず、少なくとも超音波接合の熱が加わった温度において、樹脂素体を構成する樹脂よりも強度が強い材料であればよい。この場合、層間接続導体も導体である必要なく、樹脂層の高さからなる柱状部材であればよい。
【００７９】
次に、本発明の第４の実施形態に係る部品実装樹脂基板について、図を参照して説明する。図８（Ａ）は本発明の第４の実施形態に係る部品実装樹脂基板の製造時の側面断面図であり、図８（Ｂ）は本発明の第４の実施形態に係る部品実装樹脂基板の側面断面図である。
【００８０】
本実施形態に係る部品実装樹脂基板の製造方法は、図４に示した各工程のうち、工程Ｓ１０６の超音波接合に代えて、実装用ランド導体に異方性導電フィルムを介して電子部品のバンプを接合する。本実施形態における上記工程Ｓ１０６の具体的な手順は次のとおりである。
【００８１】
先ず、図８（Ａ）に表れているように、樹脂素体２１の表面（実装面）の、実装用ランド導体２２や配線導体パターン２３を覆う領域に、異方性導電フィルム５１を被覆する。異方性導電フィルム５１以外の樹脂素体２１の構成は、第１の実施形態で示したものと同じである。
【００８２】
次に、樹脂素体２１に電子部品３０を載置（積層）する。電子部品３０の構成は第１の実施形態で示したものと同じである。
【００８３】
その後、図８（Ａ）に示すように、加熱プレス用の治具１０１，１０２を用い、この治具１０１，１０２間に、積層状態の樹脂素体２１および電子部品３０を載置し、所定温度、所定圧力で加熱プレスする。
【００８４】
以上の工程により、図８（Ｂ）に示す部品実装樹脂基板１０Ｂが得られる。
【００８５】
上記異方性導電フィルム（Anisotropic Conductive Film：ACF）は、熱硬化性樹脂に微細な金属粒子を分散させたものを、膜状に成型したフィルムである。上記加熱プレスによって、実装用ランド導体２２とバンプ３１との間の異方性導電フィルム内の粒子のメッキ層同士が接触状態となって、導電経路が形成される。
【符号の説明】
【００８６】
１０，１０Ａ，１０Ｂ：部品実装樹脂基板
２０，２０Ａ：樹脂基板
２１：樹脂素体
２２：実装用ランド導体
２３：配線導体パターン
２４：外部接続用導体
２５，４３，４３１，４３２，４３３，４３４，４３５：層間接続導体
３０：電子部品
３１：バンプ
４１，４１Ａ，４２、４２Ａ，４４：補強用導体パターン
５１：異方性導電フィルム
１０１，１０２：加熱プレス治具
２１１，２１２，２１３，２１４，２１５，２１６，２１７：樹脂層
４１１，４１２，４１３，４１４，４２１，４２２，４２３：個別導体パターン
４５１，４５２：導体非形成部
【図１】
2017065028.tif 000003
【図２】
2017065028.tif 000004
【図３】
2017065028.tif 000005
【図４】
2017065028.tif 000006
【図５】
2017065028.tif 000007
【図６】
2017065028.tif 000008
【図７】
2017065028.tif 000009
【図８】
2017065028.tif 000010
【手続補正書】
【提出日】平成29年12月14日(2017.12.14)
【手続補正１】
【補正対象書類名】特許請求の範囲
【補正対象項目名】全文
【補正方法】変更
【補正の内容】
【特許請求の範囲】
【請求項１】
熱可塑性の樹脂素体と、
前記樹脂素体の表面に形成され、部品に接続される実装用ランド導体と、
前記樹脂素体に内蔵され、前記樹脂素体を平面視して前記実装用ランド導体全体に重なる平面形状で形成された第１補強用導体パターンと、
前記樹脂素体に内蔵され、前記樹脂素体を平面視して前記実装用ランド導体に重なる位置を含み、前記第１補強用導体パターンに少なくとも一部が重なる平面形状で形成された第２補強用導体パターンと、
前記第１補強用導体パターンと前記第２補強用導体パターンとを前記樹脂素体の厚み方向に接続する複数の第１層間接続導体と、を備え、
前記複数の第１層間接続導体は、前記樹脂素体を平面視して、前記実装用ランド導体と異なる位置に配置されている、
樹脂基板。
【請求項２】
前記第１補強用導体パターン、前記第２補強用導体パターン、および、前記複数の第１層間接続導体は、前記樹脂素体に形成された他の導体パターンに接続されていない、
請求項１に記載の樹脂基板。
【請求項３】
前記樹脂素体に内蔵され、前記樹脂素体を平面視して前記実装用ランド導体に重なる位置を含み、前記第１補強用導体パターンおよび前記第２補強用導体パターンに少なくとも一部が重なる平面形状で形成された第３補強用導体パターンと、
前記第２補強用導体パターンと前記第３補強用導体パターンとを前記樹脂素体の厚み方向に接続する複数の第２層間接続導体と、を備え、
前記複数の第１層間接続導体と前記複数の第２層間接続導体は、前記樹脂素体を平面視して異なる位置に配置されている、
請求項１に記載の樹脂基板。
【請求項４】
前記第１補強用導体パターン、前記第２補強用導体パターン、前記複数の第１層間接続導体、前記第３補強用導体パターン、および、前記複数の第２層間接続導体は、前記樹脂素体に形成された他の導体パターンに接続されていない、
請求項３に記載の樹脂基板。
【請求項５】
前記実装用ランド導体は複数であり、
前記樹脂素体を平面視して、前記第１補強用導体パターンは、複数の前記実装用ランド導体に重なっている、
請求項１乃至請求項４のいずれか１項に記載の樹脂基板。
【請求項６】
前記樹脂素体を平面視して、前記第１補強用導体パターンは、前記実装用ランド導体と異なる位置において、前記第１補強用導体パターンが形成されていない導体非形成部を有する、
請求項５に記載の樹脂基板。
【請求項７】
前記第１補強用導体パターンと前記樹脂素体の表面との距離は、前記樹脂素体の厚みの半分より小さい、
請求項１乃至請求項６のいずれか１項に記載の樹脂基板。
【請求項８】
前記樹脂素体は、複数の熱可塑性の樹脂層を積層してなり、
前記第１補強用導体パターンは、前記実装用ランド導体が形成される前記樹脂素体の表面の樹脂層と、当該樹脂層に当接する樹脂層との間に配置されている、
請求項７に記載の樹脂基板。
【請求項９】
請求項１乃至請求項８のいずれか１項に記載の樹脂基板と、
前記実装用ランド導体に接続される前記部品と、
を備える、
部品実装樹脂基板。
【請求項１０】
樹脂基板と、前記樹脂基板に複数のバンプを介して接合される部品と、を備える部品実装樹脂基板であって、
前記樹脂基板は、
熱可塑性の樹脂素体と、
前記樹脂素体の表面に形成され、部品に接続される実装用ランド導体と、
前記樹脂素体に内蔵され、前記樹脂素体を平面視して前記実装用ランド導体に重なる位置を含む平面形状で形成された第１補強用導体パターンと、
前記樹脂素体に内蔵され、前記樹脂素体を平面視して前記実装用ランド導体に重なる位置を含み、前記第１補強用導体パターンに少なくとも一部が重なる平面形状で形成された第２補強用導体パターンと、
前記第１補強用導体パターンと前記第２補強用導体パターンとを前記樹脂素体の厚み方向に接続する複数の第１層間接続導体と、を備え、
前記部品は、
前記実装用ランド導体に前記複数のバンプが超音波接合されることによって前記樹脂素体に実装されており、
前記複数の第１層間接続導体は、前記樹脂素体を平面視して、前記複数のバンプと異なる位置に配置されており、
前記複数のバンプは、前記樹脂素体を平面視して、全体が前記第１補強用導体パターンに重なる、
部品実装樹脂基板。
【請求項１１】
前記第１補強用導体パターン、前記第２補強用導体パターン、および、前記複数の第１層間接続導体は、前記樹脂素体に形成された他の導体パターンに接続されていない、
請求項１０に記載の部品実装樹脂基板。
【請求項１２】
前記樹脂素体に内蔵され、前記樹脂素体を平面視して前記実装用ランド導体に重なる位置を含み、前記第１補強用導体パターンおよび前記第２補強用導体パターンに少なくとも一部が重なる平面形状で形成された第３補強用導体パターンと、
前記第２補強用導体パターンと前記第３補強用導体パターンとを前記樹脂素体の厚み方向に接続する複数の第２層間接続導体と、を備え、
前記複数の第１層間接続導体と前記複数の第２層間接続導体は、前記樹脂素体を平面視して異なる位置に配置されている、
請求項１０に記載の樹脂基板。
【請求項１３】
前記第１補強用導体パターン、前記第２補強用導体パターン、前記複数の第１層間接続導体、前記第３補強用導体パターン、および、前記複数の第２層間接続導体は、前記樹脂素体に形成された他の導体パターンに接続されていない、
請求項１２に記載の樹脂基板。
【請求項１４】
前記実装用ランド導体は複数であり、
前記樹脂素体を平面視して、前記第１補強用導体パターンは、複数の前記実装用ランド導体に重なっている、
請求項１０乃至請求項１３のいずれか１項に記載の樹脂基板。
【請求項１５】
前記樹脂素体を平面視して、前記第１補強用導体パターンは、前記実装用ランド導体と異なる位置において、前記第１補強用導体パターンが形成されていない導体非形成部を有する、
請求項１４に記載の樹脂基板。
【請求項１６】
前記第１補強用導体パターンと前記樹脂素体の表面との距離は、前記樹脂素体の厚みの半分より小さい、
請求項１０乃至請求項１５のいずれか１項に記載の樹脂基板。
【請求項１７】
前記樹脂素体は、複数の熱可塑性の樹脂層を積層してなり、
前記第１補強用導体パターンは、前記実装用ランド導体が形成される前記樹脂素体の表面の樹脂層と、当該樹脂層に当接する樹脂層との間に配置されている、
請求項１６に記載の樹脂基板。
【請求項１８】
前記複数のバンプのうち少なくとも一つのバンプは、前記樹脂素体を平面視して、前記複数の第１層間接続導体の各層間接続導体に対して、自身の位置を中心とし、最近接する層間接続導体との距離を半径する円領域を設定し、各層間接続導体によって設定される円領域の重なる領域に重なっている、
請求項９乃至請求項１７のいずれか１項に記載の部品実装樹脂基板。
【請求項１９】
樹脂素体を形成する熱可塑性を有する第１樹脂層の表面に実装用ランド導体を形成する工程と、
前記樹脂素体を形成する熱可塑性を有する第２樹脂層の表面に第１補強用導体パターンを形成する工程と、
前記樹脂素体を形成する熱可塑性を有する第３樹脂層の表面に第２補強用導体パターンを形成する工程と、
前記第２樹脂層における前記第１補強用導体パターンが形成される領域に、前記樹脂素体に部品を実装した状態で前記部品の複数のバンプに重ならない位置に複数の貫通孔を設ける工程と、
前記複数の貫通孔に導電ペーストを充填する工程と、
前記第１樹脂層、前記第２樹脂層、前記第３樹脂層をこの順に並べて、前記第１樹脂層、前記第２樹脂層、および前記第３樹脂層を含む複数の樹脂層を積層して加熱圧着して、複数の層間接続導体を備える前記樹脂素体を形成する工程と、
前記部品の前記複数のバンプを超音波接合によって前記実装用ランド導体に接合する工程と、
を有し、
前記複数のバンプは、前記樹脂素体を平面視して、全体が前記第１補強用導体パターンに重なる、
部品実装樹脂基板の製造方法。
【請求項２０】
樹脂素体を形成する熱可塑性を有する第１樹脂層の表面に実装用ランド導体を形成する工程と、
前記樹脂素体を形成する熱可塑性を有する第２樹脂層の表面に第１補強用導体パターンを形成する工程と、
前記樹脂素体を形成する熱可塑性を有する第３樹脂層の表面に第２補強用導体パターンを形成する工程と、
前記第２樹脂層における前記第１補強用導体パターンが形成される領域に、前記樹脂素体に部品を実装した状態で前記部品の複数のバンプに重ならない位置に複数の貫通孔を設ける工程と、
前記複数の貫通孔に導電ペーストを充填する工程と、
前記第１樹脂層、前記第２樹脂層、前記第３樹脂層をこの順に並べて、前記第１樹脂層、前記第２樹脂層、および前記第３樹脂層を含む複数の樹脂層を積層して加熱圧着して、複数の層間接続導体を備える前記樹脂素体を形成する工程と、
前記部品の前記複数のバンプを、異方性導電フィルムを介して前記実装用ランド導体に接合する工程と、
を有し、
前記複数のバンプは、前記樹脂素体を平面視して、全体が前記第１補強用導体パターンに重なる、
部品実装樹脂基板の製造方法。
【請求項２１】
前記第１補強用導体パターン、前記第２補強用導体パターン、および、前記複数の第１層間接続導体は、前記樹脂素体に形成された他の導体パターンに接続されていない、
請求項１９または請求項２０に記載の部品実装樹脂基板の製造方法。
【国際調査報告】
2017065028.tif 000011
2017065028.tif 000012
2017065028.tif 000013
2017065028.tif 000014